(57)【特許請求の範囲】
【請求項１】
第１のユーザ選好情報を得ることと、
オーディオに含まれるハイパーリンクを受信することと、
前記ハイパーリンクおよび前記第１のユーザ選好情報をサーバに送信することと、
前記サーバから前記ハイパーリンク、前記第１のユーザ選好情報および第２のユーザ選好情報に従って決定される第１の情報データを受信することであって、前記第２のユーザ選好情報は、前記サーバによって分析されたユーザの履歴データに基づいて決定され、前記第１の情報データは、前記ハイパーリンクに関連付けられる第１の情報カテゴリと、前記第１のユーザ選好情報および前記第２のユーザ選好情報に関連付けられる第２の情報カテゴリとを照合することによって生成される、ことと、
前記第１の情報データに基づいて情報リストを生成することと、
前記情報リストを表示してユーザが前記情報リストに基づいて情報を得ることができるようにすることと
を含む情報取得方法。
【請求項２】
前記オーディオに含まれる前記ハイパーリンクを受信することは、
音声収集ユニットを介してオーディオを収集することと、
前記オーディオがハイパーリンク情報を含むか否かを検出することと、
前記オーディオが前記ハイパーリンク情報を含むということを検出することに応答して、前記ハイパーリンク情報を識別して抽出することと
を含む、請求項１に記載の情報取得方法。
【請求項３】
端末から送信されるハイパーリンクおよび第１のユーザ選好情報を受信することであって、前記ハイパーリンクは前記端末によって受信されるオーディオに含まれるハイパーリンクである、ことと、
前記ハイパーリンク、前記第１のユーザ選好情報および第２のユーザ選好情報に基づいて第１の情報データを決定することであって、前記第２のユーザ選好情報は、サーバによって分析されたユーザの履歴データに基づいて決定され、前記第１の情報データは、前記ハイパーリンクに関連付けられる第１の情報カテゴリと、前記第１のユーザ選好情報および前記第２のユーザ選好情報に関連付けられる第２の情報カテゴリとを照合することによって生成される、ことと、
前記第１の情報データを前記端末に送信して、前記端末に前記第１の情報データに基づいて情報リストを生成させ、前記情報リストを表示させて、ユーザが前記情報リストに基づいて情報を得ることを可能にすることと
を含む情報取得方法。
【請求項４】
前記ユーザのユーザ識別子に対応する前記履歴データを得ること
を更に含む、請求項３に記載の情報取得方法。
【請求項５】
情報取得装置であって、前記装置は端末に配備され、前記装置は、
第１のユーザ選好情報を得るように構成される取得ユニットと、
オーディオに含まれるハイパーリンクを受信するように構成される受信ユニットと、
前記ハイパーリンクおよび前記第１のユーザ選好情報をサーバに送信するように構成される送信ユニットと、
前記サーバから前記ハイパーリンク、前記第１のユーザ選好情報および第２のユーザ選好情報に従って決定される第１の情報データを受信するように更に構成される前記受信ユニットであって、前記第２のユーザ選好情報は、前記サーバによって分析されたユーザの履歴データに基づいて決定された情報であり、前記第１の情報データは、前記ハイパーリンクに関連付けられる第１の情報カテゴリと、前記第１のユーザ選好情報および前記第２のユーザ選好情報に関連付けられる第２の情報カテゴリとを照合することによって生成されたデータである、前記受信ユニットと、
前記第１の情報データに基づいて情報リストを生成するように構成される生成ユニットと、
前記情報リストを表示して、ユーザが前記情報リストに基づいて情報を得ることを可能にするように構成されるディスプレイユニットと
を含む情報取得装置。
【請求項６】
前記受信ユニットは、
音声収集ユニットを介してオーディオを収集するように構成される収集サブユニットと、
前記収集サブユニットによって収集される前記オーディオがハイパーリンク情報を含むか否かを検出するように構成される検出サブユニットと、
前記オーディオが前記ハイパーリンク情報を含むということを検出している前記検出サブユニットに応答して、前記ハイパーリンク情報を識別して抽出するように構成される抽出サブユニットと
を含む、請求項５に記載の情報取得装置。
【請求項７】
情報取得装置であって、前記装置はサーバに配備され、前記装置は、
端末からハイパーリンクおよび第１のユーザ選好情報を受信するように構成される受信ユニットであって、前記ハイパーリンクは前記端末によって受信されるオーディオに含まれるハイパーリンクである、受信ユニットと、
前記ハイパーリンク、前記第１のユーザ選好情報および第２のユーザ選好情報に基づいて第１の情報データを決定するように構成される決定ユニットであって、前記第２のユーザ選好情報は、前記サーバによって分析されたユーザの履歴データに基づいて決定され、前記第１の情報データは、前記ハイパーリンクに関連付けられる第１の情報カテゴリと、前記第１のユーザ選好情報および前記第２のユーザ選好情報に関連付けられる第２の情報カテゴリとを照合することによって生成される、決定ユニットと、
前記第１の情報データを前記端末に送信し、前記端末が前記第１の情報データに基づいて情報リストを生成して前記情報リストを表示することをできるようにして、ユーザが前記情報リストに基づいて情報を得ることを可能にするように構成される、送信ユニットと
を含む情報取得装置。
【請求項８】
前記ユーザのユーザ識別子に対応する前記履歴データを得るように構成される取得ユニットを更に含む、請求項７に記載の情報取得装置。
【請求項９】
再生装置、端末及びサーバを含む情報取得システムであって、
前記再生装置は、ハイパーリンクを含むオーディオを再生するように構成され、
前記端末は、第１のユーザ選好情報を取得し、前記再生装置によって再生される前記オーディオに含まれる前記ハイパーリンクを受信し、前記ハイパーリンクおよび前記第１のユーザ選好情報を前記サーバに送信し、前記サーバから前記ハイパーリンク、前記第１のユーザ選好情報および第２のユーザ選好情報に従って決定される第１の情報データを受信し、前記第１の情報データに基づいて情報リストを生成し、そして前記情報リストを表示して、ユーザが前記情報リストに基づいて情報を得ることができるように構成され、
前記サーバは、前記端末から前記ハイパーリンクおよび前記第１のユーザ選好情報を受信するように構成され、前記ハイパーリンクは前記端末によって受信される前記オーディオに含まれる前記ハイパーリンクであり、前記サーバはまた、前記ハイパーリンク、前記第１のユーザ選好情報および第２のユーザ選好情報に従って前記第１の情報データを決定し、前記第２のユーザ選好情報は、前記サーバによって分析されたユーザの履歴データに基づいて決定され、前記第１の情報データは、前記ハイパーリンクに関連付けられる第１の情報カテゴリと、前記第１のユーザ選好情報および前記第２のユーザ選好情報に関連付けられる第２の情報カテゴリとを照合することによって生成され、前記第１の情報データを前記端末に送信して、前記端末が、前記第１の情報データに基づいて前記情報リストを生成して前記情報リストを表示することができるようにし、前記ユーザが前記情報リストに基づいて情報を得ることを可能にするように構成される、
情報取得システム。
【発明の詳細な説明】
【技術分野】
【０００１】
関連出願の相互参照
本出願は、2015年4月30日に出願の、「Information Acquisition Method, Device and System」と題する中国特許出願番号第201510218046.5号に対する優先権を主張し、その全体が参照により本明細書に援用される。
【０００２】
本出願は、情報伝送の分野に関し、そして、特に情報取得方法、装置及びシステムに関する。
【発明の概要】
【０００３】
本出願は情報を得る方法、装置及びシステムを提供する。そして、オーディオが、人間の記憶を必要とせずに、再生装置によって再生されるときに、クライアント端末がオーディオに含まれる情報を得ることを可能にする。
【０００４】
第１の態様において、情報取得方法が提供される。この方法は、オーディオに含まれるハイパーリンクを受信することと、ハイパーリンクをサーバに送信することと、サーバからハイパーリンクに従って決定される第１の情報データを受信することと、第１の情報データに基づいて情報リストを生成することと、情報リストを表示してユーザが情報リストに基づいて情報を得ることができるようにすることとを含む。
【０００５】
好ましくは、オーディオに含まれるハイパーリンクを受信することは、音声収集ユニットを介してオーディオを収集することと、オーディオがハイパーリンク情報を含むか否か検出することと、ハイパーリンク情報を含むオーディオに応答するハイパーリンク情報を識別して抽出することとを含む。
【０００６】
好ましくは、方法は、ユーザの選好情報を得ることと、選好情報をサーバに送信することを更に含み、そこにおいて、サーバからハイパーリンクに従って決定される第１の情報データを受信することは、サーバからハイパーリンク及び選好情報に従って決定される第１の情報データを受信することを含む。
【０００７】
第２の態様において、情報取得方法が提供される。この方法は、端末からハイパーリンクを受信することを含み、ハイパーリンクは端末によって受信されるオーディオに含まれるハイパーリンクであり、また方法は、ハイパーリンクに基づいて第１の情報データを決定することを含み、そして方法は、第１の情報データを端末に送信して、端末が、第１の情報データに基づいて情報リストを生成し、その情報リストを表示することができるようにし、ユーザが情報リストに基づいて情報を得ることを可能にする。
【０００８】
好ましくは、方法は端末からユーザの選好情報を受信することを更に含む。そこにおいて、ハイパーリンクに基づいて第１の情報データを決定することはハイパーリンク及び選好情報に基づいて第１の情報データを決定することを含む。
【０００９】
好ましくは、方法はユーザのユーザ識別子に対応する履歴データを得て、履歴データに基づいてユーザの選好を決定することを更に含む。そこにおいて、ハイパーリンクに基づいて第１の情報データを決定することはハイパーリンク及び選好に基づいて第１の情報データを決定することを含む。
【００１０】
第３の態様において、情報取得装置が提供される。この装置は端末に配備され、そして、装置は、オーディオに含まれるハイパーリンクを受信するように構成される受信ユニットと、サーバにハイパーリンクを送信するように構成される送信ユニットとを含み、受信ユニットがサーバからのハイパーリンクに従って決定される第１の情報データを受信するように更に構成され、また装置は、第１の情報データに基づいて情報リストを生成するように構成される生成ユニットと、情報リストを表示してユーザが情報リストに基づいて情報を得ることを可能にするように構成されるディスプレイユニットとを含む。
【００１１】
好ましくは、受信ユニットは、音声収集ユニットを介してオーディオを収集するように構成される収集サブユニット；収集サブユニットによって集められるオーディオがハイパーリンク情報を含むか否か検出するように構成される検出サブユニット；そして、オーディオがハイパーリンク情報を含むことを検出している検出サブユニットに応答してハイパーリンク情報を識別して、抽出するように構成される抽出サブユニットを含む。
【００１２】
好ましくは、装置はユーザの選好情報を得るように構成される取得ユニットを更に含み、そこにおいて、送信ユニットは、取得ユニットによって得られた選好情報をサーバに送信するように更に構成され、そして、受信ユニットは、サーバからのハイパーリンク及び選好情報に従って決定される第１の情報データを受信するように、更に構成される。
【００１３】
第４の態様において、情報取得装置が提供される。この装置はサーバに配備され、装置は、端末からハイパーリンクを受信するように構成される受信ユニットを含み、ハイパーリンクは端末によって受信されるオーディオに含まれるハイパーリンクであり；また装置は、ハイパーリンクに基づいて第１の情報データを決定するように構成される決定ユニット；及び第１の情報データを端末に送信し、端末が、第１の情報データに基づいて情報リストを生成し、その情報リストを表示することができるようにし、ユーザが情報リストに基づいて情報を得ることを可能にするように構成される送信ユニットを含む。
【００１４】
好ましくは、受信ユニットは端末からユーザの選好情報を受信するように更に構成され、そして、決定ユニットは、受信ユニットによって受信されるハイパーリンク及び選好情報に従って第１の情報データを決定するように、更に構成される。
【００１５】
好ましくは、装置はユーザのユーザ識別子に対応する履歴データを得るように構成される取得ユニットを更に含み、そこにおいて、決定ユニットは、取得ユニットによって得られる履歴データに基づいてユーザの選好を決定し、ハイパーリンク及び選好に従って第１の情報データを決定するように、更に構成される。
【００１６】
第５の態様において、情報取得システムが提供される。システムは、再生装置、端末及びサーバを含む。再生装置はオーディオを再生するように構成され、そして、オーディオがハイパーリンクを含む。端末は、再生装置によって再生されるオーディオに含まれるハイパーリンクを受信し、ハイパーリンクをサーバに送信し、サーバからハイパーリンクに従って決定される第１の情報データを受信し、第１の情報データに基づいて情報リストを生成し、その情報リストを表示して、ユーザが情報リストに基づいて情報を得ることを可能にするように、構成される。
【００１７】
サーバは、端末からハイパーリンクを受信し、ハイパーリンクは、端末によって受信されるオーディオに含まれるハイパーリンクであり、ハイパーリンクに従って第１の情報データを決定し、第１の情報データを端末に送信して端末が第１の情報データに基づいて情報リストを生成することができるようにし、そしてその情報リストを表示してユーザが情報リストに基づいて情報を得ることを可能にするように、構成される。
【００１８】
本出願は情報取得方法を提供し、この方法は、最初にオーディオに含まれるハイパーリンクを受信し、ハイパーリンクをサーバに送信し、ハイパーリンクに従って決定される第１の情報データをサーバから受信し、そして第１の情報データに基づいて情報リストを生成し、その情報リストを表示して、ユーザが情報リストに基づいて情報を得ることを可能にする。上述のことから分かるように、本出願により提供される情報取得方法は、オーディオが再生装置によって再生されるときに、人間の記憶を必要とせずにオーディオに含まれる情報を自動的に得ることができる。
【図面の簡単な説明】
【００１９】
【図１】本出願の実施形態により提供される情報取得方法のフローチャートである。
【図２】本出願の実施形態によるユーザ設定の概要図である。
【図３Ａ】本出願の実施形態によるアプリケーションのユーザインターフェースの概要図である。
【図３Ｂ】本出願の実施形態によるアプリケーションのユーザインターフェースの概要図である。
【図３Ｃ】本出願の実施形態によるアプリケーションのユーザインターフェースの概要図である。
【図３Ｄ】本出願の実施形態によるアプリケーションのユーザインターフェースの概要図である。
【図４】本出願の実施形態により提供される別の情報取得方法のフローチャートである。
【図５】本出願の実施形態による情報カテゴリ照合の概要図である。
【図６】本出願の実施形態により提供される情報取得方法の信号のフローチャートである。
【図７】本出願の実施形態により提供される情報取得装置の構造図である。
【図８】本出願の実施形態により提供される別の情報取得装置の構造図である。
【図９】本出願の実施形態により提供される情報取得システムの構造図である。
【発明を実施するための形態】
【００２０】
本出願の目的、技術的なソリューション及び利点をより明確にするために、本出願の実施形態の技術的なソリューションは、明白かつ総合的な方法の本出願の実施形態の図面とともに、本願明細書において記載される。明らかに、記載される実施形態は、本出願の実施形態の一部を表しており、全部を表しているわけではない。本出願の実施形態に基づいて、当業者によっていかなる創造的な努力もすること無く得られる他の全ての実施形態は、本出願の保護の範囲内となる。
【００２１】
本出願の実施形態の理解を容易にするために、例示的実施形態は、添付の図面とともに更に詳細に本願明細書において記載される。これらの実施形態は、本出願の実施形態への制限として解釈されてはならない。
【００２２】
本出願の実施形態は、情報取得方法を提供する。方法は、オーディオの再生を提供するいかなるシナリオにも適用できる。例えば、ユーザがカーラジオを備えている車内部にいるときに、端末のマイクロホンは、カーラジオによって再生されるオーディオに埋め込まれたハイパーリンクを自動的に検出することができる。それから、端末はサーバと対話して、サーバから情報を得る。端末は、いつでもユーザの必要に従って、得られた情報をユーザに表示する。端末は、携帯電話などのユーザ装置であり得るが、それに限定するものではない。
【００２３】
図１は、本出願の実施形態により提供される情報取得方法のフローチャートである。この方法の実行実体は、端末である。図１に示すとおり、方法は、以下を含む。
【００２４】
ステップ１０１は、オーディオに含まれるハイパーリンクを受信する。
【００２５】
本出願の実施形態において、オーディオは、音声収集ユニットを介して収集することができる。オーディオがハイパーリンク情報を含むか否かの検出を、実行することができる。オーディオがハイパーリンク情報を含む場合、ハイパーリンク情報は識別されて、抽出される。
【００２６】
具体的には、端末のマイクロホンを、音声収集ユニットとして用いることができる。マイクロホンは、オーディオを収集する。ハイパーリンクは、ユーザによって聞き取ることができない特別な音声要素素子として、オーディオ内に符号化される。ハイパーリンクのオーディオ周波数は、２０Ｈｚ〜２０ｋＨｚの通常の可聴範囲外とすることができる。各ハイパーリンクは、出発点及び終了点を有する。マイクロホンによって受信されるオーディオ周波数は、オーディオに含まれるハイパーリンクだけを受信するように実装することができる。
【００２７】
通常、マイクロホンには、２つの状態、すなわち、アクティブ状態及び非アクティブ状態がある。マイクロホンを介してオーディオに含まれるハイパーリンクを受信するときに、端末はマイクロホンの状態をアクティブ状態であるように設定することも必要とする。
【００２８】
図２は、ユーザ設定の概要図である。情報取得方法は端末へロードされるアプリケーション（アプリ）によって行うことができるので、マイクロホンを開くためのクエリ状態は、アプリが最初にロードされるときに、ユーザのために設定されてもよい。クエリ状態は、２種類の状態、つまり、尋ねること無しに自動的に開く状態及び使用するたびに尋ねる状態を含む。図３Ａ〜図３Ｄは、アプリのユーザインターフェースの概要図である。図３Ａにおいて、ユーザから尋ねること無しに自動的に開くクエリ状態の選択を端末が受信する場合、マイクロホンは、アプリが開かれるたびに、マイクロホンを起動させるべきか否かについてユーザをチェックする必要無しに、自動的に起動する。使用するたびに尋ねるクエリ状態の選択を端末が受信する場合、アプリが開かれるたびに、ユーザは、マイクロホンを起動させるべきか否かに関して尋ねられる。ユーザがマイクロホンのアクティブ化を承認することを示す確認情報を受信すると、マイクロホンは起動する。ユーザがマイクロホンのアクティブ化を承認しないことを示す確認情報を受信すると、マイクロホンは起動しない。使用ごとに尋ねるクエリ状態の選択がユーザから受信される場合、端末は、ユーザが、ハイパーリンクを収集する段階ではない時にマイクロホンを起動させるべきか否かを確認することを可能にすることができる。マイクロホンを起動しないことになっていることを示す確認情報をユーザから受信することに応答して、端末はマイクロホンを起動させないようにする。従って、電力を節約して、ある程度までバックエンドメモリの占有を減らす。例えば、運転中のシナリオから離れた後は、アプリを介して情報をブラウジングするステージの間アプリが開かれていても、マイクロホンは継続的に起動する必要はない。図３Ｂにおいて、ユーザは自分が申し込むよう望む情報コンテンツを設定することができ、そして、この情報コンテンツはユーザ選好とみなされる。図３Ｃにおいて、オーディオに含まれるハイパーリンクを発見することによって、端末は、見つかったハイパーリンクを情報の形にデコードして、表示する。ユーザは、関連情報をクリックすることによって、対応する情報の詳細ページを開くことができる。図３Ｄにおいて、端末は、ユーザインターフェースに、例えば共同購入割引情報の詳細ページを表示する。
【００２９】
サーバが情報選択を実行するのを容易にするために、ユーザに関心がある情報だけが、端末に送信される。サーバは、ユーザの選好リストを得て、人々及び対象についてのユーザの記録を確立し、これにより選択システムを確立することを必要とする。サーバは、選択システムによって情報の選択を実行する。ユーザの選好リストは、能動的な選好設定、受動的な選好設定またはこれらの２つの設定の組合せによって得ることができる。
【００３０】
本出願の実施形態において、方法は、ユーザの選好情報を得ること、及び選好情報をサーバに送信することを更に含むことができる。能動的な選好設定は、選好設定の構成によりユーザによって実行することができる。例えば、アプリがまず初めにロードされるときに、ユーザは、自分が予約して、受信することを望む情報の範囲（複数可）またはカテゴリ（複数可）を選択するよう、求められてもよい。選好リストは、ユーザによって項目をクリックする動作によって生成することができ、こうして能動的な選好設定を完了する。
【００３１】
サーバは、ユーザの履歴記録を分析することができ、ユーザの選好を抽出して、受動的な選好設定を得ることができる。例えば、アプリがまず初めにロードされるときに、要求はタオバオウェブサイト上のユーザの購入記録を分析するためのサーバに、送信することができる。ユーザによって望ましい製品の範囲（複数可）及びカテゴリ（複数可）は、関心のある製品及び買われたことのある製品などの記録を分析することによって、抽出することができ、こうして受動的な選好設定を完了する。
【００３２】
ステップ１０２は、ハイパーリンクをサーバに送信する。
【００３３】
予め定めた期間の後、端末は、その予め定めた期間の範囲内で受信される全てのハイパーリンクをサーバに送る。メモリの占有率及び端末の計算コストを減らすために、端末は、ハイパーリンクを識別して収集すること及び収集したハイパーリンクを処理用のサーバに送信することについてだけ役割を果たす。サーバは、データのための予め設定された量の作業負荷を有しており、従ってバックエンドで円滑な計算を確実にすることができる。
【００３４】
ステップ１０３は、ハイパーリンクに基づいてサーバで決定される第１の情報データを受信する。
【００３５】
端末が前もってユーザの選好情報を得て、選好情報をサーバに送信した後、サーバはハイパーリンクに基づいて第１の情報データを決定する。方法は、ハイパーリンクに基づいてサーバで決定される第１の情報データを受信することを含む。
【００３６】
ステップ１０４は、第１の情報データに基づいて情報リストを生成する。
【００３７】
端末は第１の情報データをアプリフレームに挿入して、そこにインストールされているアプリによって情報リストを生成することができる。情報リストの情報のそれぞれから、サーバによって生成された詳細ページへジャンプすることができる。情報リストの項目は、時間の順に従って配列することができ、アプリの情報領域に格納することができる。
【００３８】
ステップ１０５は、ユーザが情報リストに基づいて情報を得ることができるように、情報リストを表示する。
【００３９】
本出願の実施形態において、ユーザから命令を受信することに応答して、端末は、情報リストに対応するアプリの情報領域を表示のために開くことができる。ユーザは、情報リストの項目をクリックして閲覧し、情報を得るか、またはその項目を削除することができる。
【００４０】
上述のことから分かるように、本出願により提供される情報取得方法は、オーディオが再生装置によって再生されるときに、人間の記憶を必要とせずに、端末を介してオーディオに含まれる情報を自動的に得ることができる。
【００４１】
図４は、本出願により提供される別の情報取得方法のフローチャートである。この方法の実行実体は、サーバである。図４に示すように、方法は、以下を含む。
【００４２】
ステップ４０１は、端末によって送信されるハイパーリンクを受信し、ハイパーリンクは端末によって受信されるオーディオに含まれるハイパーリンクである。
【００４３】
ステップ４０２は、ハイパーリンクに基づいて第１の情報データを決定する。
【００４４】
本出願の実施形態において、サーバは、ハイパーリンクだけに基づいて第１の情報データを決定することができ、またはハイパーリンク及びユーザの選好に基づいて第１の情報データを決定することができる。
【００４５】
端末は、ユーザの選好を決定することができる。サーバは、最初に端末からユーザの選好情報を受信し、次に、ハイパーリンク及び選好に基づいて第１の情報データを決定する。
【００４６】
あるいは、サーバが、ユーザの選好を決定することができる。サーバは、ユーザのユーザ識別子に対応する履歴データを得て、履歴データに基づいてユーザの選好を決定する。サーバは、ハイパーリンク及び選好に基づいて第１の情報データを決定する。
【００４７】
あるいは、ユーザの選好は端末で最初に決定することができ、そして、それから、選好はサーバによって更新される。サーバは、端末によって送信されるユーザの選好情報を受信し、ユーザのユーザ識別子に対応する履歴データを得て、履歴データに基づいて選好を更新し、そして、ハイパーリンク及び更新された選好に基づいて第１の情報データを決定する。
【００４８】
本出願の実施形態において、ハイパーリンクに基づいて第１の情報データを決定することは、ハイパーリンク（複数可）をデコードするプロセス、及び情報カテゴリ（複数可）を照合してフィルタリングするプロセスを含むことができる。
【００４９】
ハイパーリンクをデコードすることは、サーバによって各ハイパーリンクによって示されるそれぞれのページから情報カテゴリを抽出することを指す。例えば、製品のカテゴリは、各ハイパーリンクによって示されるそれぞれの製品ページから抽出される。
【００５０】
カテゴリ（複数可）を照合してフィルタリングすることは、情報カテゴリがハイパーリンクによって抽出された後、情報カテゴリが選好選択システムの情報カテゴリと一致するか否かについて決定することを指す。詳細は、図５に示すように情報カテゴリ照合の概要図で参照することができる。決定結果が肯定的である場合、ハイパーリンクに対応する情報は価値情報であると決定される。価値情報は、ユーザが関心を抱く製品カテゴリの情報でもよい。情報リストは、サーバで生成される。情報リストは、コード（すなわち、第１の情報データ）によって作成される。第１の情報データは、ユーザによって使われる端末にプッシュされる。決定結果が否定的である場合、ハイパーリンクに対応する情報はゴミ情報（garbage information）であると決定される。ゴミ情報は、ユーザが気にかけない製品カテゴリの情報であり得て、サーバで除去される、
ステップ４０３は、第１の情報データを端末に送信して、端末が第１の情報データに基づいて情報リストを生成してその情報リストを表示することを可能にして、ユーザが情報リストに基づいて情報を得ることができるようにする。
【００５１】
情報リストの情報の各部分は、サーバによって発生する詳細ページへジャンプすることができる。情報リストの項目は、時間の順に配列されて、アプリの情報領域に格納される。ユーザは、端末を介して情報領域を開くことによって、項目を閲覧して削除することができる。
【００５２】
本出願の実施形態において、ユーザは、詳細ページを閲覧して、表示を起動するために項目をクリックする。詳細ページにおいて、支払いページにジャンプすることができるので、ユーザが、支払いページで支払いを完了して、製品の購入を成し遂げることを容易にする。
【００５３】
上述のことから分かるように、本出願の実施形態により提供される情報取得方法は、サーバが端末からハイパーリンクを受信した後、サーバによって情報を端末に自動的にプッシュする。ユーザは、それから、人間の記憶を必要とせずに、必要に応じて端末によって情報を閲覧することができる。
【００５４】
図６は、本出願の実施形態により提供される情報取得方法の信号のフローチャートである。方法は、ユーザがカーラジオを有する自動車環境に位置している特定のアプリケーションシナリオにおいて、適用できる。携帯電話が、ハイパーリンクを収集するための端末として用いられる。図６に示すとおり、方法は、以下を含む。
【００５５】
ステップ１：ユーザからマイクロホンを起動させる命令を受信することに応答して、携帯電話のアプリは、マイクロホンをアクティブ状態に設定する。 
ステップ２：携帯電話のアプリは、オーディオに含まれるハイパーリンクを、マイクロホンを介して検出して受信し、そこにおいて、オーディオのソースはカーラジオであり、そして、オーディオはカーラジオによって再生されるオーディオである。 
ステップ３：サーバは、携帯電話のアプリによって送信されるハイパーリンクを受信する。 
ステップ４：サーバは、ハイパーリンク上のデータデコーディングを実行する。 
ステップ５：サーバは、予め確立されたフィルタリング及び選択システムを用いて、ハイパーリンク（複数可）をフィルタリングして、選択する。 
ステップ６：サーバは、選択されたハイパーリンク（複数可）に基づいて情報リストを生成する。 
ステップ７：サーバは、携帯電話のアプリに情報リストを送信する。 
ステップ８：携帯電話のアプリは、情報リストを表示して、ローカルに情報リストを格納する。 
ステップ９：ユーザがブラウジングのために情報リストの項目をクリックすると、携帯電話のアプリはリンクジャンプのためにサーバに要求を出す。 
ステップ１０：要求を受信すると即座に、サーバは、項目に対応する詳細ページを生成する。 
ステップ１１：サーバは携帯電話のアプリに詳細ページを送る。そして、それは詳細ページを表示する。 
ステップ１２：ユーザから購入を指示するためのクリックを受けることに応答して、携帯電話のアプリは、リンクジャンプのためにサーバに要求を出す。 
ステップ１３：リンクジャンプのための要求を受信すると即座に、サーバは支払いページを生成する。 
ステップ１４：サーバは携帯電話のアプリに支払いページを送信し、携帯電話は支払いページを表示する。
【００５６】
本出願の実施形態により提供される情報取得方法は、運転中のシナリオでモバイル機器を操作するというユーザの不便さを考慮する。受動的に情報を受信することは、従来のモードと比較して、運転する安全性を改善することを助ける。ハイパーリンクをプッシュする完全に新規な方法を使用することは、企業が広告のオフラインブロードキャストのためのチャネルを拡大することを容易にする。ユーザは放送されたコンテンツを記憶する必要は無く、携帯電話に関連情報を直接保存することができるので、情報を得るときに、ユーザの使用コストを減らす。バックエンドでの連続的な自動プッシュ及び記録の完了は運転動作と競合しないので、運転中シナリオで情報を受信するユーザ体験を改善する。プッシュされた情報は製品ページに直接リンクされ、それによって、購買過程が効果的に減少する。
【００５７】
カーラジオと携帯電話のアプリとのリンクを想定すれば、本出願の実施形態は、音声ハイパーリンクの自動デコーディングに従って自動車シナリオにおいて関連性の高い情報を、方向を定めてプッシュして、ユーザグループを指向するデータ及び地理的な位置に基づいて音声ハイパーリンクの数、周波数及びコンテンツカテゴリを制御し、それによって、情報の正確さ及び親和性で望ましい効果につながる。
【００５８】
図７は、本出願の実施形態により提供される情報取得装置の構造図である。この装置は、端末に配備される。図７に示すように、装置は、オーディオに含まれるハイパーリンクを受信するように構成される受信ユニット７０１と、受信ユニット７０１によって受信したハイパーリンクをサーバに送信するように構成される送信ユニット７０２とを含み、受信ユニット７０１は、送信ユニット７０２によって送信されたハイパーリンクに基づいてサーバにより決定される第１の情報データを受信するように更に構成され、また、受信ユニット７０１によって受信した第１の情報データに基づいて情報リストを生成するように構成される生成ユニット７０３と、ユーザが情報リストに基づいて情報を得ることを可能にするために、生成ユニット７０３によって生成される情報リストを表示するように構成されるディスプレイユニット７０４とを含む。
【００５９】
好ましくは、受信ユニット７０１は、音声収集ユニットを介してオーディオを収集するように構成される収集サブユニットと、音声収集ユニットによって集められるオーディオがハイパーリンク情報を含むか否か検出するように構成される検出サブユニットと、オーディオがハイパーリンク情報を含むことを検出している検出サブユニットに応答して、ハイパーリンク情報を識別して抽出するように構成される抽出サブユニットとを含む。
【００６０】
好ましくは、装置はユーザの選好情報を得るように構成される取得ユニット７０５を更に含む。そこにおいて、取得ユニット７０５によって得られた選好情報をサーバに送信するように、送信ユニット７０２は更に構成される、そして、ハイパーリンク及び選好情報に基づいてサーバで決定される第１の情報データを受信するように、受信ユニット７０１は更に構成される。
【００６１】
図８は、本出願の実施形態により提供される別の情報取得装置の構造図である。この装置は、サーバに配備される。図８に示すとおり、この装置は、端末からハイパーリンクを受信するように構成される受信ユニット８０１を含み、ハイパーリンクは端末によって受信されるオーディオに含まれるハイパーリンクであり、また装置は、受信ユニット８０１によって受信されるハイパーリンクに基づいて第１の情報データを決定するように構成される決定ユニット８０２と、決定ユニット８０２によって決定される第１の情報データを端末に送信し、端末に第１の情報データに基づいて情報リストを生成させ、その情報リストを表示させて、ユーザが情報リストに基づいて情報を得ることを可能にするように構成される送信ユニット８０３とを含む。
【００６２】
好ましくは、受信ユニット８０１は、端末によって送信されるユーザの選好情報を受信するように更に構成され、そして決定ユニット８０２は、受信ユニット８０１によって受信されるハイパーリンク及び選好情報に基づいて第１の情報データを決定するように更に構成される。
【００６３】
好ましくは、装置は、ユーザのユーザ識別子に対応する履歴データを得るように構成される取得ユニット８０４を更に含み、そこにおいて、決定ユニット８０２は、取得ユニット８０４によって得られる履歴データに基づいてユーザの選好を決定するように更に構成される。
【００６４】
決定ユニット８０２は、ハイパーリンク及び選好に基づいて第１の情報データを決定するように更に構成される。
【００６５】
図９は、本出願の実施形態により提供される情報取得システムの構造図である。図９に示すとおり、このシステムは、再生装置９０１、端末９０２及びサーバ９０３を含む。
【００６６】
再生装置９０１はオーディオを再生するように構成され、オーディオはハイパーリンク（複数可）を含む。
【００６７】
端末９０２は、再生装置９０１によって再生されるオーディオに含まれるハイパーリンク（複数可）を受信し、ハイパーリンク（複数可）をサーバ９０３に送信し、ハイパーリンク（複数可）に基づいてサーバ９０３によって決定される第１の情報データを受信し、第１の情報データに基づいて情報リストを生成し、そして情報リストを表示して、ユーザが情報リストに基づいて情報を得ることを可能にするように、構成される。
【００６８】
サーバ９０３は、端末９０２によって送信されるハイパーリンク（複数可）を受信するように構成され、このハイパーリンク（複数可）は端末９０２によって受信されるオーディオに含まれるハイパーリンク（複数可）であり、サーバ９０３はまた、ハイパーリンク（複数可）に基づいて第１の情報データを決定し、第１の情報データを端末９０２に送信して、端末９０２に第１の情報リストに基づいて情報リストを生成させ、その情報リストを表示させて、ユーザが情報リストに基づいて情報を得ることを可能にするように、構成される。
【００６９】
当業者は、本願明細書において開示される実施形態に記載される例示アルゴリズムの例示オブジェクト及び手順が、電子ハードウェアコンポーネント（複数可）、コンピュータソフトウェアコンポーネント（複数可）またはそれらの組み合わせを使用して実施することができる、ということを理解することもできる。ハードウェアコンポーネント及びソフトウェアコンポーネントの互換性を明確に説明するために、前述の明細書は、各種の実施例のコンポーネント及び手順を一般的な機能に従って記載している。これらの機能を、ハードウェアコンポーネント（複数可）またはソフトウェアコンポーネント（複数可）の形で実装するか否かは、技術的なソリューションの特定の用途及び設計制約条件に依存する。当業者は、それぞれの特定の用途のために異なる方法を使用して記載されている機能を実装することができ、そして、これらの実施態様は本出願の範囲外ではない。
【００７０】
本明細書の実施形態に記載される方法またはアルゴリズムの操作は、ハードウェアコンポーネント（複数可）、プロセッサ実行可能ソフトウェアモジュール（複数可）またはそれらの組み合わせを使用して実装することができる。ソフトウェアモジュールは、ランダムアクセスメモリ（ＲＡＭ）、キャッシュ、読取り専用メモリ（ＲＯＭ）、電気的プログラム可能読取り専用メモリ（ＥＰＲＯＭ）、電気的消去可能プログラム可能読取り専用メモリ（ＥＥＰＲＯＭ）、レジスタ、ハードディスク、リムーバブル磁気ディスク、ＣＤ−ＲＯＭまたは当技術分野で知られている任意の他の記憶媒体にも配備することができる。
【００７１】
本出願の目的、技術的なソリューション及び有益な効果は、上記の実施例を使用して、更に詳細に記載されている。上記は単に本出願の特定の実施例に過ぎず、本出願の保護の範囲を限定するために用いるべきではないと理解することができる。本出願の趣旨及び原則の中でなされる全ての修正、等価な代替、改良などは、本出願の保護の範囲に含まれなければならない。
【図１】
0006731949.tif 000002
【図２】
0006731949.tif 000003
【図３Ａ】
0006731949.tif 000004
【図３Ｂ】
0006731949.tif 000005
【図３Ｃ】
0006731949.tif 000006
【図３Ｄ】
0006731949.tif 000007
【図４】
0006731949.tif 000008
【図５】
0006731949.tif 000009
【図６】
0006731949.tif 000010
【図７】
0006731949.tif 000011
【図８】
0006731949.tif 000012
【図９】
0006731949.tif 000013